【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、ここにおいて、前記複数のコンポーネントキャリアのためのＡＣＫ／ＮＡＫビットと前記周期ＣＳＩとをマルチプレクスすることが可能にされるかどうかを判断することは、半静的構成に少なくとも部分的に基づく、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を備える、ワイヤレス通信の方法。
【請求項２】
前記ペイロードサイズが実際の周期ＣＳＩペイロードサイズを備える、請求項１に記載の方法。
【請求項３】
前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、請求項２に記載の方法。
【請求項４】
サブフレーム中の前記周期ＣＳＩが前記複数のコンポーネントキャリアのうちの１つのコンポーネントキャリアのためのものである、請求項１に記載の方法。
【請求項５】
前記しきい値がサブフレームにわたって変動する、請求項１に記載の方法。
【請求項６】
前記バンドルすることが空間バンドリングを備える、請求項１に記載の方法。
【請求項７】
前記バンドルすることが、時間領域バンドリングまたはコンポーネントキャリアバンドリングのうちの少なくとも１つを備える、請求項１に記載の方法。
【請求項８】
前記バンドルすることが、サブフレームのサブセットまたはコンポーネントキャリアのサブセットのうちの少なくとも１つにわたってバンドルすることを備える、請求項１に記載の方法。
【請求項９】
前記容量を前記判断することは、
前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を備える、請求項１に記載の方法。
【請求項１０】
前記ＡＣＫ／ＮＡＫビットが、前記複数のコンポーネントキャリアのうちの少なくとも１つのコンポーネントキャリア中の複数のサブフレームのためのものである、請求項１に記載の方法。
【請求項１１】
前記制御チャネルを介してスケジューリング要求（ＳＲ）を送信することをさらに備える、請求項１に記載の方法。
【請求項１２】
メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、によって判断する、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を行うように構成された、装置。
【請求項１３】
前記ペイロードサイズが実際の周期ＣＳＩペイロードサイズを備える、請求項１２に記載の装置。
【請求項１４】
前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、請求項１３に記載の装置。
【請求項１５】
サブフレーム中の前記周期ＣＳＩが前記複数のコンポーネントキャリアのうちの１つのコンポーネントキャリアのためのものである、請求項１２に記載の装置。
【請求項１６】
前記しきい値がサブフレームにわたって変動する、請求項１２に記載の装置。
【請求項１７】
前記少なくとも１つのプロセッサが、空間バンドリングを介して前記ＡＣＫ／ＮＡＫビットをバンドルするようにさらに構成された、請求項１２に記載の装置。
【請求項１８】
前記少なくとも１つのプロセッサが、時間領域バンドリングまたはコンポーネントキャリアバンドリングのうちの少なくとも１つを介して前記ＡＣＫ／ＮＡＫビットをバンドルするようにさらに構成された、請求項１２に記載の装置。
【請求項１９】
前記少なくとも１つのプロセッサが、サブフレームのサブセットまたはコンポーネントキャリアのサブセットのうちの少なくとも１つにわたって前記ＡＣＫ／ＮＡＫビットをバンドルするようにさらに構成された、請求項１２に記載の装置。
【請求項２０】
前記少なくとも１つのプロセッサは、半静的構成に少なくとも部分的に基づいて、前記複数のコンポーネントキャリアのためのＡＣＫ／ＮＡＫビットと前記周期ＣＳＩとをマルチプレクスすることが可能にされるかどうかを判断するようにさらに構成された、請求項１２に記載の装置。
【請求項２１】
前記ＡＣＫ／ＮＡＫビットが、前記複数のコンポーネントキャリアのうちの少なくとも１つのコンポーネントキャリア中の複数のサブフレームのためのものである、請求項１２に記載の装置。
【請求項２２】
前記少なくとも１つのプロセッサが、前記制御チャネルを介してスケジューリング要求（ＳＲ）を送信するようにさらに構成された、請求項１２に記載の装置。
【請求項２３】
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するための手段と、ここにおいて、前記複数のコンポーネントキャリアのためのＡＣＫ／ＮＡＫビットと前記周期ＣＳＩとをマルチプレクスすることが可能にされるかどうかを判断することは、半静的構成に少なくとも部分的に基づく、
前記周期ＣＳＩのペイロードサイズと前記判断された容量とに少なくとも部分的に基づいてＡＣＫ／ＮＡＫビット数についてのしきい値を判断するための手段と、
前記ＡＣＫ／ＮＡＫビット数が前記判断されたしきい値よりも大きいとき、ＡＣＫ／ＮＡＫビットをバンドルするための手段と、
前記制御チャネルを使用して前記ＡＣＫ／ＮＡＫビットと前記周期ＣＳＩとを送信するための手段と
を備える、ワイヤレス通信のための装置。
【請求項２４】
ワイヤレス通信のためのコンピュータプログラム製品であって、前記コンピュータプログラム製品が、
プログラムコードを記録した非一時的コンピュータ可読媒体を備え、前記プログラムコードは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するためのプログラムコードと、前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、によって判断する、
前記周期ＣＳＩのペイロードサイズと前記判断された容量とに少なくとも部分的に基づいてＡＣＫ／ＮＡＫビット数についてのしきい値を判断するためのプログラムコードと、
前記ＡＣＫ／ＮＡＫビット数が前記判断されたしきい値よりも大きいとき、ＡＣＫ／ＮＡＫビットをバンドルするためのプログラムコードと、
前記制御チャネルを使用して前記ＡＣＫ／ＮＡＫビットと前記周期ＣＳＩとを送信するためのプログラムコードと
を備える、コンピュータプログラム製品。
【請求項２５】
メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、ここにおいて、前記複数のコンポーネントキャリアのためのＡＣＫ／ＮＡＫビットと前記周期ＣＳＩとをマルチプレクスすることが可能にされるかどうかを判断することは、半静的構成に少なくとも部分的に基づく、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を行うように構成された、装置。
【手続補正２】
【補正対象書類名】明細書
【補正対象項目名】００９６
【補正方法】変更
【補正の内容】
【００９６】
［00106]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を備える、ワイヤレス通信の方法。
［Ｃ２］前記ペイロードサイズが実際の周期ＣＳＩペイロードサイズを備える、［Ｃ１］に記載の方法。
［Ｃ３］前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、［Ｃ２］に記載の方法。
［Ｃ４］サブフレーム中の前記周期ＣＳＩが前記複数のコンポーネントキャリアのうちの１つのコンポーネントキャリアのためのものである、［Ｃ１］に記載の方法。
［Ｃ５］前記しきい値がサブフレームにわたって変動する、［Ｃ１］に記載の方法。
［Ｃ６］前記バンドルすることが空間バンドリングを備える、［Ｃ１］に記載の方法。
［Ｃ７］前記バンドルすることが、時間領域バンドリングまたはコンポーネントキャリアバンドリングのうちの少なくとも１つを備える、［Ｃ１］に記載の方法。
［Ｃ８］前記バンドルすることが、サブフレームのサブセットまたはコンポーネントキャリアのサブセットのうちの少なくとも１つにわたってバンドルすることを備える、［Ｃ１］に記載の方法。
［Ｃ９］前記容量を前記判断することは、
前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を備える、［Ｃ１］に記載の方法。
［Ｃ１０］前記複数のコンポーネントキャリアのためのＡＣＫ／ＮＡＫビットと前記周期ＣＳＩとをマルチプレクスすることが可能にされるかどうかを前記判断することは、半静的構成に少なくとも部分的に基づく、［Ｃ１］に記載の方法。
［Ｃ１１］前記ＡＣＫ／ＮＡＫビットが、前記複数のコンポーネントキャリアのうちの少なくとも１つのコンポーネントキャリア中の複数のサブフレームのためのものである、［Ｃ１］に記載の方法。
［Ｃ１２］前記制御チャネルを介してスケジューリング要求（ＳＲ）を送信することをさらに備える、［Ｃ１］に記載の方法。
［Ｃ１３］メモリと、
前記メモリに結合された少なくとも１つのプロセッサと
を備える、ワイヤレス通信のための装置であって、前記少なくとも１つのプロセッサは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断することと、
前記周期ＣＳＩのペイロードサイズと前記判断された容量とに少なくとも部分的に基づいてＡＣＫ／ＮＡＫビット数についてのしきい値を判断することと、
前記ＡＣＫ／ＮＡＫビット数が前記判断されたしきい値よりも大きいとき、ＡＣＫ／ＮＡＫビットをバンドルすることと、
前記制御チャネルを使用して前記ＡＣＫ／ＮＡＫビットと前記周期ＣＳＩとを送信することと
を行うように構成された、装置。
［Ｃ１４］前記ペイロードサイズが実際の周期ＣＳＩペイロードサイズを備える、［Ｃ１３］に記載の装置。
［Ｃ１５］前記実際の周期ＣＳＩペイロードサイズが、広帯域チャネル品質インジケータ（ＣＱＩ）、サブバンドＣＱＩ、プリコーディング行列インジケータ（ＰＭＩ）、ランクインジケータ（ＲＩ）、またはプリコーディングタイプインジケータ（ＰＴＩ）のサイズに等しい、［Ｃ１４］に記載の装置。
［Ｃ１６］サブフレーム中の前記周期ＣＳＩが前記複数のコンポーネントキャリアのうちの１つのコンポーネントキャリアのためのものである、［Ｃ１３］に記載の装置。
［Ｃ１７］前記しきい値がサブフレームにわたって変動する、［Ｃ１３］に記載の装置。
［Ｃ１８］前記少なくとも１つのプロセッサが、空間バンドリングを介して前記ＡＣＫ／ＮＡＫビットをバンドルするようにさらに構成された、［Ｃ１３］に記載の装置。
［Ｃ１９］前記少なくとも１つのプロセッサが、時間領域バンドリングまたはコンポーネントキャリアバンドリングのうちの少なくとも１つを介して前記ＡＣＫ／ＮＡＫビットをバンドルするようにさらに構成された、［Ｃ１３］に記載の装置。
［Ｃ２０］前記少なくとも１つのプロセッサが、サブフレームのサブセットまたはコンポーネントキャリアのサブセットのうちの少なくとも１つにわたって前記ＡＣＫ／ＮＡＫビットをバンドルするようにさらに構成された、［Ｃ１３］に記載の装置。
［Ｃ２１］前記少なくとも１つのプロセッサは、
前記複数のコンポーネントキャリアのためのＡＣＫ／ＮＡＫビットと前記周期ＣＳＩとをマルチプレクスすることが可能にされるかどうかに少なくとも部分的に基づいて前記制御チャネルの第１の容量を判断することと、
前記複数のコンポーネントキャリアのためのＡＣＫ／ＮＡＫビットと前記周期ＣＳＩとをマルチプレクスすることが可能にされないかどうかに少なくとも部分的に基づいて前記制御チャネルの第２の容量を判断することと、前記第１の容量が前記第２の容量よりも大きい、
を行うようにさらに構成された、［Ｃ１３］に記載の装置。
［Ｃ２２］前記少なくとも１つのプロセッサは、半静的構成に少なくとも部分的に基づいて、前記複数のコンポーネントキャリアのためのＡＣＫ／ＮＡＫビットと前記周期ＣＳＩとをマルチプレクスすることが可能にされるかどうかを判断するようにさらに構成された、［Ｃ１３］に記載の装置。
［Ｃ２３］前記ＡＣＫ／ＮＡＫビットが、前記複数のコンポーネントキャリアのうちの少なくとも１つのコンポーネントキャリア中の複数のサブフレームのためのものである、［Ｃ１３］に記載の装置。
［Ｃ２４］前記少なくとも１つのプロセッサが、前記制御チャネルを介してスケジューリング要求（ＳＲ）を送信するようにさらに構成された、［Ｃ１３］に記載の装置。
［Ｃ２５］複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するための手段と、
前記周期ＣＳＩのペイロードサイズと前記判断された容量とに少なくとも部分的に基づいてＡＣＫ／ＮＡＫビット数についてのしきい値を判断するための手段と、
前記ＡＣＫ／ＮＡＫビット数が前記判断されたしきい値よりも大きいとき、ＡＣＫ／ＮＡＫビットをバンドルするための手段と、
前記制御チャネルを使用して前記ＡＣＫ／ＮＡＫビットと前記周期ＣＳＩとを送信するための手段と
を備える、ワイヤレス通信のための装置。
［Ｃ２６］ワイヤレス通信のためのコンピュータプログラム製品であって、前記コンピュータプログラム製品が、
プログラムコードを記録した非一時的コンピュータ可読媒体を備え、前記プログラムコードは、
複数のコンポーネントキャリアのための肯定応答／否定応答（ＡＣＫ／ＮＡＫ）ビットと周期チャネル状態情報（ＣＳＩ）とのマルチプレクスが可能にされるかどうかに少なくとも部分的に基づいて制御チャネルの容量を判断するためのプログラムコードと、
前記周期ＣＳＩのペイロードサイズと前記判断された容量とに少なくとも部分的に基づいてＡＣＫ／ＮＡＫビット数についてのしきい値を判断するためのプログラムコードと、
前記ＡＣＫ／ＮＡＫビット数が前記判断されたしきい値よりも大きいとき、ＡＣＫ／ＮＡＫビットをバンドルするためのプログラムコードと、
前記制御チャネルを使用して前記ＡＣＫ／ＮＡＫビットと前記周期ＣＳＩとを送信するためのプログラムコードと
を備える、コンピュータプログラム製品。